(57)【要約】【課題】空気呼吸用ボンベの消費限界時間を、確実に視認・確認することができる腕時計の提供を図る。【解決手段】腕時計１本体の外胴２に回転自在に装着される回転ベゼル５に、個人別の空気消費量を算出するとともに、該算出された空気消費量を基に空気呼吸用ボンベの消費限界時間９を算出するための目盛り表示盤６を設けた構造となっている【選択図】図１
2009014562.tif 000002
【特許請求の範囲】
【請求項１】
腕時計本体の外胴に回転自在に装着される回転ベゼルに、個人別の空気消費量を算出するとともに、該算出された空気消費量を基に空気呼吸用ボンベの消費限界時間を算出するための目盛り表示盤を設けたことを特徴とする腕時計。
【請求項２】
前記目盛り表示盤において、異なった空気呼吸用ボンベ容量に対応する目盛りが内周部と外周部とで二重に夫々表示されていることを特徴とする請求項１に記載の腕時計。
【請求項３】
前記目盛り表示盤において、０ポイントマークから左右対称に夫々同様の目盛りが表示されていることを特徴とする請求項１または請求項２に記載の腕時計。
【発明の詳細な説明】
【技術分野】
【０００１】
本発明は、腕時計に関し、詳しくは、空気呼吸用ボンベの消費限界時間を正確に割り出すことが可能な腕時計に関するものである。
【背景技術】
【０００２】
スポーツウオッチならびにダイバーウオッチに代表される多機能腕時計に装着される回転ベゼルの機能の多くは、経時時間のスライド表示機能を有するものや時差表示（特許文献１）、暦・曜日表示（特許文献２）やデジタル時計の表示モードの切替え機構（特許文献３）など多岐に渡り、取り付け構造（特許文献４）や回転ロック機構（特許文献５）も含め、該回転べゼルに関しては、従来より数多くの提案がなされている。
【０００３】
特に回転ベジルの表示機能に関して、例えば，ダイバーウオッチに装着される経時時間のスライド表示機能は、回転ベジルの回転スライド量（角度）よって残りの潜水時間を表示するものであるが、該表示内容は、一般的な空気呼吸用ボンベの消費時間を示すものであって個人別の空気消費量を基に空気呼吸用ボンベの消費限界時間を算出したものではなく、特に火災や災害現場で１分１秒が生死を分ける緊急救出活動時における災害現場においては、視覚、嗅覚、聴覚、体力、思考力が極限状態に陥る中、空気呼吸用ボンベの消費限界時間を単純且つ容易な手段で正確に知ることができる方法が望まれている。
【０００４】
【特許文献１】登録実用新案第３００２５２２号公報
【特許文献２】特開２００２−３２８１８１号公報
【特許文献３】実開平５−１４９７５号公報
【特許文献４】特開平１０−２３９４５４号公報
【特許文献５】特表２００５−５２１８８０号号公報
【発明の開示】
【発明が解決しようとする課題】
【０００５】
本発明は、上記問題点に鑑み、空気呼吸用ボンベの消費限界時間を確実に視認・確認することができる腕時計を提供することを目的とする。
【課題を解決するための手段】
【０００６】
前記目的を達成するため、本発明は、腕時計本体の外胴に回転自在に装着される回転ベゼルに、個人別の空気消費量を算出するとともに、該算出された空気消費量を基に空気呼吸用ボンベの消費限界時間を算出するための目盛り表示盤を設けた構成となっている。
【０００７】
また、本発明は、前記目盛り表示盤において、前記目盛り表示盤において、異なった空気呼吸用ボンベ容量に対応する目盛りが内周部と外周部とで二重に夫々表示されている構成を採ることもできる。
【０００８】
さらに、本発明は、前記目盛り表示盤において、０ポイントマークから左右対称に夫々同様の目盛りが表示されている構成とすることも可能である。
【発明の効果】
【０００９】
本発明にかかる腕時計によれば、普段の救助訓練で得られた救助隊員の空気消費量を基に使用する空気呼吸用ボンベの消費限界時間を回転ベゼルの回転量によって算出するもので、特に火災や災害現場で１分１秒が生死を分ける緊急救出活動時における災害現場においては、視覚、聴覚、体感力、思考力が極限状態に陥る中で、単純且つ容易な方法で空気呼吸用ボンベの消費限界時間を確実に視認・確認することができるものである。
【００１０】
また、本発明にかかる腕時計によれば、本発明の構造要素は、回転ベゼルの目盛り表示方法によるものであるため、複雑な構造や操作方法を必要とすることなく、単に長針に自分の日頃より訓練している空気消費量を示す数値を手動で合せるだけで空気呼吸用ボンベの消費限界時間が設定できる救助用腕時計とすることができるものである。
【００１１】
さらに、腕時計本体の外胴に装着される回転ベゼルの目盛り表示盤は、文字盤の一周全体が空気呼吸用ボンベの消費限界時間表示に使われるため、災害現場における極限状態で容易に空気呼吸用ボンベの消費限界時間を確実に視認・確認することができるものである。
【００１２】
さらにまた、ダイバーウオッチに装着される回転ベジルの表示方法は、装着する空気呼吸用ボンベの消費限界時間について一般的なアバウトのものであり、時間設定する際に空気呼吸用ボンベの消費限界時間を差し引いた時間を頭の中で計算してセットするため、計算違いやセットミスなどが生じる可能性があるが、本発明によれば、かかる従来方式の欠点を防ぐことが可能である。
【００１３】
そしてまた、前記目盛り表示盤において、異なった空気呼吸用ボンベ容量に対応する目盛りを、内周部と外周部とで二重に夫々表示する態様を採用することにより、異なった容量の空気呼吸用ボンベに対して、本発明にかかる一の腕時計で対応することが可能となる。
【００１４】
さらには、前記目盛り表示盤において、０ポイントマークから左右対称に夫々同様の目盛りを表示する態様を採用することにより、空気呼吸用ボンベの消費限界時間だけでなく、使用者の空気消費量をも容易に算出することが可能である。
【発明を実施するための最良の形態】
【００１５】
本発明にかかる腕時計１は、本体の外胴２に回転自在に装着される回転ベゼル３に、個人別の空気消費量を算出するとともに、該算出された空気消費量を基に空気呼吸用ボンベの消費限界時間９を算出するための目盛り表示盤６を設けることで、単純且つ容易な方法で確実に空気呼吸用ボンベの消費限界時間９の視認・確認を可能にしたことを最大の特徴とする。以下、本発明にかかる腕時計１の実施形態を図面に基づいて説明する。
【００１６】
図１は本発明にかかる腕時計１を示す斜視図であり、また、図２は本発明にかかる腕時計１を示す正面図である。
図面に示す通り、該腕時計１は、本体の外胴２に回転自在に回転ベゼル５が装着されており、該回転ベゼル５には、個人別の空気消費量を算出するとともに、該算出された空気消費量８を基に空気呼吸用ボンベの消費限界時間９を算出するための目盛り表示盤３を設けた構成となっている。
【００１７】
目盛り表示盤３は、外周には、３０Ｍｐａの充填圧力１０のボンベ仕様に対応した１分間の空気消費量の目盛り表示が刻まれている。内周には、１５Ｍｐａの充填圧力１０のボンベ仕様に対応した１分間の空気消費量の目盛り表示が刻まれている。装備する充填圧力１０のボンベ仕様及び使用者の１分間の空気消費量に基づいて、空気呼吸用ボンベの消費限界時間９の設定ができるようになっている。
【００１８】
なお、図面では、目盛り表示盤３の目盛り表示を、異なった二つの空気呼吸用ボンベ容量に対応すべく、内周部と外周部とで二重に夫々表示した場合について示しているが、かかる態様に限定するものではなく、目盛り表示盤３全体で一つの空気呼吸用ボンベ容量に対応する目盛り表示とすることもできる。また、該目盛り表示については、スポーツウオッチ、ダイバーウオッチ、登山用ウオッチ、地下工事用ウオッチ等、空気呼吸用ボンベを使用する分野によって種々変更することとなる。
【００１９】
図３は、本発明にかかる腕時計の使用の手順を示す説明図である。
（１）携帯する腕時計の時刻を確認する。
（２）長針の位置にボンベの容量と１分間の空気消費量目盛りを合わせる。
（３）０ポイントマークで示された長針の位置が空気呼吸用ボンベの消費限界時間９となる。
以上のように、装着する空気呼吸用ボンベの消費限界時間９は正確のものであり時間設定を行う時間を瞬時に行い計算違いやセット違いなどのミスを生じる可能性がないものである。
【００２０】
図４は、本発明にかかる腕時計の空気呼吸用ボンベの消費限界時間９を割り出す数式及びベゼル表示表であり、図４（ａ）は、空気呼吸用ボンベの消費限界時間９を割り出す数式、図４（ｂ）は、１分間の空気消費量から割り出された空気呼吸用ボンベの消費限界時間９のベゼル表示表である。
【００２１】
例えば、使用者の１分間の空気消費量が４０ｍ３／ｍｉｎで、３０Ｍｐａの充填圧力１０のボンベ背負って活動する時の空気呼吸用ボンベの消費限界時間９を割り出す計算は、（３０Ｍｐａ−３Ｍｐａ）×６．７５リットル÷（４０ｍ３／ｍｉｎ×０．１）≒４５．６分となる（空気呼吸用ボンベの消費限界時間９のベゼル表示表参照）。
【００２２】
図４（ｂ）に示す表でも分かるように、１分間の空気消費量によって空気呼吸用ボンベの消費限界時間９が大幅に変わるもので、特に火災や災害現場で１分１秒が生死を分ける緊急救出活動時における災害現場においては、この空気呼吸用ボンベの消費限界時間９を事前に認知しておくことは、安全と人命救出活動点から重要なものである。
【００２３】
以上、本発明にかかる腕時計の使用手順について説明したが、別の使用態様として、さらに使用者の空気消費量を予め容易に算出することも可能であり、その手順については以下の通りとなる。
（１）長針の位置に０ポイントマークを合わせる。
（２）空気呼吸用ボンベを使い切った段階における長針の位置（目盛り）を確認する。
以上のように、非常に簡単に空気消費量を算出することも可能である。なお、かかる算出を容易にすべく、０ポイントマークから左右対称に夫々同様の目盛り表示をすることが望ましい。すなわち、０ポイントマークから向かって左側に付された目盛り表示は、空気呼吸用ボンベの消費限界時間９を算出するための目盛りであり、逆に０ポイントマークから向かって右側に付された目盛り表示は、使用者の空気消費量を算出するための目盛りとなる。
【００２４】
図５は、従来の腕時計の使用状態の手順を示す説明図である。
（１）携帯する腕時計の時刻を確認する。
（２）長針の位置にボンベの容量に見合った一般的な空気呼吸用ボンベの消費限界時間９を差し引いた時間を合わせる。
（３）０ポイントマークで示された長針の位置が空気呼吸用ボンベの消費限界時間９となる。
【００２５】
以上のように、装着する空気呼吸用ボンベの消費限界時間９はアバウトのものであり、時間設定をする際に空気呼吸用ボンベの消費限界時間９を差し引いた時間をセットすることで、計算違いやセットミスなどが生じる可能性があるものである。
【産業上の利用可能性】
【００２６】
本発明の腕時計の構造要素によれば、回転ベゼルの目盛り表示盤を差し替えることにより、救助用ウオッチやスポーツウオッチ、ダイバーウオッチ、登山用ウオッチ、地下工事用ウオッチなど空気呼吸用ボンベを使用する分野において幅広く応用することができるものである。従って、本発明にかかる腕時計の産業上の利用可能性は、極めて高いものと解される。
【図面の簡単な説明】
【００２７】
【図１】本発明にかかる腕時計を示す斜視図である。
【図２】本発明にかかる腕時計を示す正面図である。
【図３】本発明にかかる腕時計の使用手順を示す説明図である。
【図４】本発明にかかる腕時計の空気呼吸用ボンベの消費限界時間を割り出す数式及びベゼル表示表である。
【図５】従来の同様の腕時計の使用手順を示す説明図である。
【符号の説明】
【００２８】
１    腕時計
２    外胴
３    文字盤
４    長針
５    回転ベゼル
６    目盛り表示盤
７    ０ポイントマーク
８    個人の空気消費量数字
９    空気呼吸用ボンベの消費限界時間
１０    空気呼吸用ボンベの充填圧力
【図１】
2009014562.tif 000003
【図２】
2009014562.tif 000004
【図３】
2009014562.tif 000005
【図４】
2009014562.tif 000006
【図５】
2009014562.tif 000007